(57)【要約】      （修正有）【課題】形成される造花の２つの垂れの開き角度を任意に定めることを可能とする造花形成用リボンを提供する。【解決手段】互いに重ね合わされた一対のリボン片１２と、両リボン片間に配置され両リボン片の両側部間を両リボン片の長手方向へ伸びる少なくとも１つの紐１４とを備える。両リボン片及び紐はこれらの一端部において相互に接合され、また、両リボン片はこれらの両側部の複数の箇所であって両リボン片の一端部から他端部に向けて互いに間隔をおいて横切る複数の線上にそれぞれ位置する複数の箇所において相互に接合されている。複数の線は両リボン片の他端部１２ｂに隣接する１つの線と複数の他の線とからなり、１つの線とこれに隣接する１つの他の線との間の線間距離が他の線相互間の線間距離より小さい。【選択図】図２
0003205919.tif 000002
【実用新案登録請求の範囲】
【請求項１】
互いに重ね合わされた一対のリボン片と、両リボン片間に配置され両リボン片の両側部間を両リボン片の長手方向へ伸びる少なくとも１つの紐とを備え、両リボン片及び前記紐がこれらの一端部において相互に接合され、また、両リボン片がこれらの両側部の複数の箇所であって両リボン片の一端部から他端部に向けて互いに間隔をおいて横切る複数の線上にそれぞれ位置する複数の箇所において相互に接合されている造花形成用リボンであって、
前記複数の線が両リボン片の他端部に隣接する１つの線と、該１つの線以外の複数の他の線とからなり、前記１つの線とこれに隣接する１つの他の線との間の線間距離が前記他の線相互間の線間距離より小さい、造花形成用リボン。
【請求項２】
前記複数の他の線は、両リボン片の一端部の側に位置する複数の第１の他の線と、両リボン片の他端部の側に位置する複数の第２の他の線とからなり、前記第１の他の線相互間の線間距離が前記第２の他の線相互間の線間距離より小さく、また、前記第１の他の線の数が前記第２の他の線の数より多い、請求項１に記載の造花形成用リボン。
【請求項３】
前記第１の他の線相互間の線間距離は、前記第２の他の線相互間の線間距離の約半分である、請求項２に記載の造花形成用リボン。
【請求項４】
前記第１の他の線の数は、前記第２の他の線の数の約二倍である、請求項２に記載の造花形成用リボン。
【考案の詳細な説明】
【技術分野】
【０００１】
本考案は、贈答品のような物品の装飾に用いられる造花を形成するための造花形成用リボンに関する。
【背景技術】
【０００２】
従来、後記特許文献１に記載された造花形成用リボンが知られている。この造花形成用リボンは、互いに重ね合わされた一対のリボン片と、両リボン片間に配置され両リボン片の両側部間を両リボン片の長手方向へ伸びる少なくとも１つの紐とを備え、両リボン片及び前記紐がこれらの一端部において相互に接合され、また、両リボン片がこれらの両側部の複数の箇所であって両リボン片の一端部から他端部に向けて互いに間隔をおいて横切る複数の線上にそれぞれ位置する複数の箇所において相互に接合されている。
【０００３】
この造花形成用リボンにあっては、その紐に対して両リボン片の他端部をこれらの一端部に向けて相対移動させることができ、相対移動により、両リボン片はこれらの一端部においてまた複数の線のそれぞれに沿って折れ曲がり、両リボン片の一端部とこれに隣接する線との間の部分、及び、線相互間の部分（線間部分）が紐の周囲にループ状に張り出し、また、紐の長手方向に関して互いに重なり合う。その結果、ループ状に張り出しかつ互いに重なり合うこれらの複数の部分を花弁としまたこれらの花弁を花冠とする造花が形成され、また、両リボン片の他端部がハの字形に開いてなる２つの「垂れ」が形成される。
【先行技術文献】
【特許文献】
【０００４】
【特許文献１】実公平３−３９５０７号公報
【考案の概要】
【考案が解決しようとする課題】
【０００５】
ハの字形に開く２つの「垂れ」は、造花の花冠に形態上の安定性を与え、造花の装飾効果を高める働きをなす。ところで、２つの「垂れ」のこの働きは、２つの「垂れ」の開き角度の程度に依存する。前記従来の造花形成用リボンにあっては、２つの「垂れ」の開き角度が、２つの「垂れ」に隣接する花弁を形成する両リボン片の線間部分、より詳細には前記線間部分を規定する、両リボン片の他端部に隣接する一つの線の傾きすなわち両リボン片の長手方向中心線との交差角度によって定まり、これに制限される。
【０００６】
本考案は、形成される造花の２つの垂れの開き角度を任意に定めることを可能とする造花形成用リボンを提供することにある。
【課題を解決するための手段】
【０００７】
本考案に係る造花形成用リボンは、基本的に、互いに重ね合わされた一対のリボン片と、両リボン片間に配置され両リボン片の両側部間を両リボン片の長手方向へ伸びる少なくとも１つの紐とを備え、両リボン片及び前記紐がこれらの一端部において相互に接合され、また、両リボン片がこれらの両側部の複数の箇所であって両リボン片の一端部から他端部に向けて互いに間隔をおいて横切る複数の線上にそれぞれ位置する複数の箇所において相互に接合されている。
【０００８】
本考案によれば、前記紐に対して両リボン片の他端部をこれらの一端部に向けて相対移動させることができ、相対移動により、両リボン片はこれらの一端部においてまた複数の線のそれぞれに沿って折れ曲がり、両リボン片の一端部とこれに隣接する線との間の部分、及び、線相互間の部分（線間部分）が前記紐の周囲にループ状に張り出しかつ紐の長手方向に関して互いに重なり合う。その結果、ループ状に張り出しかつ互いに重なり合うこれらの複数の部分を花弁としまたこれらの花弁を花冠とする造花が形成される。また、前記相対移動時に両リボン片の他端部をこれらに隣接する線に沿ってハの字形に開くように折り曲げることにより２つの「垂れ」が形成される。
【０００９】
本考案にあっては、前記複数の線が両リボン片の他端部に隣接する１つの線と、該１つの線以外の複数の他の線とからなり、前記１つの線とこれに隣接する１つの他の線との間の線間距離が前記他の線相互間の線間距離より小さい。これによれば、両リボン片における前記１つの線と前記１つの他の線との間の線間部分からなるループ状の張り出しは、これらの張り出し長さが、前記他の線相互間の線間部分からなるループ状の張り出しより小さい。このため、前記１つの線と前記１つの他の線との間の線間部分からなる花弁は、該花弁に重なり合う前記他の線の線間部分からなる複数の花弁に覆われ、実質的に花弁としての機能を発揮しない。このことから、両リボン片の長手方向中心線に対する前記他の線の交差角度とは無関係に、また、任意の大きさに、前記１つの線の傾きすなわち両リボン片の前記長手方向中心線に対する交差角度を定めることができ、これにより、２つの垂れの開き具合又は開き角度を任意の大きさに定めることができる。
【００１０】
前記複数の他の線が、両リボン片の一端部の側に位置する複数の第１の他の線と両リボン片の他端部の側に位置する複数の第２の他の線とからなり、前記第１の他の線相互間の線間距離が前記第２の他の線相互間の線間距離より小さく、また、前記第１の他の線の数が前記第２の他の線の数より多いものとすることができる。これによれば、前記紐の一端部から他端部に向けて順次に位置する比較的多数のまた比較的小さい花弁と、比較的少数のまた比較的大きい花弁とを有する花冠を備える造花を得ることができる。
【００１１】
前記第１の他の線相互間の線間距離は例えば前記第２の他の線相互間の線間距離の約半分とし、また、前記第１の他の線の数は例えば前記第２の他の線の数の約二倍とすることができる。
【図面の簡単な説明】
【００１２】
【図１】造花形成用リボンの一部を省略して示す平面図である。（ａ）は造花形成用リボンを構成する両リボン片の一端部の側を示し、（ｂ）は両リボン片の他端部の側を示す。
【図２】造花の形成途上にある造花形成用リボンを部分的に省略して示す斜視図である。
【図３】造花形成用リボンにより形成された造花を示す斜視図である。
【考案を実施するための形態】
【００１３】
図１（ａ）、（ｂ）を参照すると、造花形成用リボンが全体に符号１０で示されている。
【００１４】
造花形成用リボン１０は、互いに重ね合わされた一対のリボン片１２と、両リボン片１２間に配置された一対の紐１４とを備える。図示の例において、紐１４は、リボン片１２より小さい幅寸法を有する細幅のリボン片からなり、一対の前記細幅のリボン片は互いに重ね合わされている。紐１４の数は、これを２つとする図示の例に代えて、１つ又は３つ以上とすることができる。また、両リボン片１２及び両紐１４は、それぞれ、ナイロン、ポリエステル等の合成樹脂製のテープからなる。両リボン片１２及び両紐１４は、それぞれ、前記合成繊維製のテープの他、合成繊維製の織布、不織布、紙製のテープ、天然繊維製の織布、不織布等からなるものとすることができる。
【００１５】
両リボン片１２及び両紐１４はこれらの一端部１２ａ、１４ａにおける任意の箇所、図示の例ではこれらの自由端近傍に位置する箇所（以下「端部接合箇所」という。）１６において相互に接合されている。また、両リボン片１２はこれらの両側部１２ｃの複数の箇所（以下「側部接合箇所」という。）、図示の例にあっては複数対の側部接合箇所１８及び一対の側部接合箇所２０において相互に接合されている。両紐１４は両リボン片１２の両側部１２ｃ間、より正確には各対の側部接合箇所１８間及び一対の側部接合箇所２０間を両リボン片１２の長手方向へ伸びている。
【００１６】
両リボン片１２及び両紐１４の相互接合、並びに、両リボン片１２の相互接合は、それぞれ、超音波を利用した熱溶着によりなされている。前記熱溶着による相互接合に代えて、また、リボン片１２及び紐１４をそれぞれ構成する材料の種類に合わせて、接着剤や縫い合わせによる相互接合が可能である。
【００１７】
両リボン片１２の複数対の側部接合箇所１８、２０は、それぞれ、両リボン片１２をこれらの長手方向に互いに間隔をおいて横切る複数の線（仮想線）ｌ上に位置する。複数の線ｌは、両リボン片１２の他端部１２ｂに隣接する１つの線と、該１つの線を除く複数の他の線とからなる。図示の例において、前記複数の他の線のうち両リボン片１２の一端部１２ａに隣接する１つの他の線は、端部接合箇所１６から両リボン片１２の長手方向に間隔をおいた位置にある。なお、説明の便宜のため、両リボン片１２の他端部１２ｂに隣接する前記１つの線ｌと、前記複数の他の線のうち前記１つの線に隣接する１つの他の線ｌ及び両リボン片１２の一端部１２ａに隣接する１つの他の線ｌに、それぞれ、添え字「１」、「２」及び「３」を付すことがある。
【００１８】
複数の線ｌは、両リボン片１２に対してすなわち両リボン片１２の長手方向中心線Ｌに対して非直角をなし、互い違いに配置されている。但し、複数の線ｌはこれらの全部又は一部が長手方向中心線Ｌに対して直角に交差するものとすることができる。
【００１９】
両リボン片１２間の両紐１４は、両リボン片１２の両側部１２ｃ間にあって両リボン片１２に対して非接合状態におかれていることから、図２に示すように、両紐１４に対して、両リボン片１２の他端部１２ｂを両リボン片１２の一端部１２ａに向けて相対移動させることができる。両リボン片１２は、この相対移動により、端部接合箇所１６においてまた各線ｌに沿って折れ曲げられる。また、前記相対移動は、両リボン片１２の他端部１２ｂを該他端部に隣接する線ｌ１に沿ってハの字形に開くように折り曲げて行うことができる。
【００２０】
前記相対移動の結果、端部接合箇所１６と両リボン片１２の一端部１２ａに隣接する他の線ｌ３との間の部分２２と、複数の他の線ｌの相互間部分である複数の線間部分２４、２６と、１つの線ｌ１及び１つの他の線ｌ２の相互間部分である線間部分２８とが、それぞれ、両紐１４の周りにループ状に張り出し、ループ状に張り出した複数の部分２２〜２８が紐１４の長手方向に関して互いに重なり合う。これにより、前記ループ状に張り出した複数の部分２２〜２８を花弁としまたこれらの花弁を花冠とする造花３０が形成され、また、両リボン片１２の他端部１２ｂがハの字形に開いてなる２つの「垂れ」３２が形成される（図３）。
【００２１】
部分２２、複数の線間部分２４、２６、及び線間部分２８は、それぞれ、長さ寸法Ｄ１、Ｄ２、Ｄ３及びＤ４を有する（図１参照）。前記した長さ寸法Ｄ１は、両リボン片１２の長手方向中心線Ｌ上における端部接合箇所１６及び他の１つの線ｌ３線相互間の距離に等しい。また、長さ寸法Ｄ２、Ｄ３は、それぞれ、両リボン片１２の長手方向中心線Ｌ上における線ｌ相互間の距離（線間距離）に等しい。さらに、長さ寸法Ｄ４は、両リボン片１２の長手方向中心線Ｌ上における１つの線ｌ１及び１つの線ｌ２間の距離（線間距離）に等しい。
【００２２】
ここにおいて、線間部分２８の長さ寸法Ｄ４は線間部分２４、２６の長さ寸法Ｄ２及びＤ３のいずれよりも小さい（Ｄ４＜Ｄ２、Ｄ４＜Ｄ３）。図示の例においては、長さ寸法Ｄ４が長さ寸法Ｄ２の約１／２に、また、長さ寸法Ｄ３の約１／４に設定されている。このことから、線間部分２８からなるループ状の張り出しは、これらの張り出し長さにおいて、線間部分２４、２６からなるループ状の張り出しに及ばない。このため、線間部分２８からなる花弁は、該花弁に重なり合う線間部分２６、２４からなる複数の花弁に覆われ、実質的に花弁としての機能を発揮しない。
【００２３】
また、造花３０の形成後、例えば両紐１４を互いに結び合わせその結び目を両垂れ３２に押し付けることにより、前記ループ状の張り出しの弾性復元を阻止し、造花の形態を維持することができる。このとき、線間部分２６からなる花弁と両垂れ３２との間にある線間部分２８からなる花弁を押し潰し扁平にすることができ、これにより、線間部分２８からなる花弁をより目立ちくいものとすることができる。
【００２４】
このことから、両リボン片１２の長手方向中心線Ｌに対する他の線ｌ２の交差角度とは無関係に、また、任意の大きさに、１つの線ｌ１の傾きすなわち両リボン片１２の長手方向中心線Ｌに対する交差角度を定めることができ、これにより、１つの線ｌ１に沿って折れ曲がる２つの垂れ３２の開き具合又は開き角度を任意の大きさに定めることができる。なお、長さ寸法Ｄ１、Ｄ２、Ｄ３及びＤ４の大きさは、（Ｄ４＜Ｄ２、Ｄ４＜Ｄ３）の関係を満たす限り、任意に設定することができる。
【００２５】
図１に示すところでは、両リボン片１２の線間部分２４、２６の長さ寸法Ｄ２、Ｄ３が互いに異なるものに設定されている。すなわち、両リボン片１２の一端部１２ａの側に位置する複数の他の線（第１の他の線）ｌ相互間の線間部分２４の長さ寸法Ｄ２が、それぞれ、両リボン片１２の他端部１２ｂの側に位置する複数の他の線（第２の他の線）ｌ相互間の線間部分２６の長さ寸法Ｄ３より小さいものに設定されている。また、線間部分２４の数が、線間部分２６の数より多いものに設定されている。図示の例にあっては、線間部分２４の数が５つとされ、また、線間部分２６の数が２つとされている。造花３０は、線間部分２４からなる比較的張り出し長さが小さい１０個の花弁と、線間部分２６からなる比較的張り出し長さが大きい４個の花弁とを有する。
【００２６】
好ましくは、部分２２の長さ寸法Ｄ１と線間部分２４の長さ寸法Ｄ２とがほぼ同じ大きさに設定される。これによれば、端部接合箇所１６とこれに隣接する他の線ｌ３との間の部分２２からなる花弁を第１の線間部分２４からなる各花弁とほぼ同じ大きさとすることができる。
【００２７】
線間部分２４の長さ寸法Ｄ２を例えば線間部分２６の長さ寸法Ｄ３の約半分に設定し、また、例えば線間部分２４の数を線間部分２６の数の約二倍以上に設定することができる。これによれば、線間部分２４からなる花弁と線間部分２６とからなる花弁とをこれらの大きさ及び数においてより際立たせることができ、これにより造花３０をより華やかにすることができる。
【符号の説明】
【００２８】
１０  造花形成用リボン
１２  リボン片
１４  紐
１６、１８、２０  接合箇所
２２  部分
２４、２６、２８  線間部分
３０  造花
３２  垂れ
【図１】
0003205919.tif 000003
【図２】
0003205919.tif 000004
【図３】
0003205919.tif 000005